(57)【要約】      （修正有）【課題】実験動物ホルダーを吸入試験装置本体に対して容易に着脱可能な鼻部曝露方式の吸入試験装置を提供する。【解決手段】実験動物ホルダー１０は、ホルダー着脱筒１２に着脱自在に取り付けられており、ホルダー着脱筒の基端側開口には、中心方向に突出するフランジ２０が形成され、実験動物ホルダーの先端近傍には、ホルダー着脱筒に装着された際にフランジを当接可能な弾性リング部材３２が設けられ、ホルダー着脱筒の内周面及び実験動物ホルダーの装着の際のホルダー脱着筒の内周面に対向する外周面のいずれか一方には、少なくとも一つの固定突起２２が形成され、他方には、固定突起を誘導する誘導溝３４が形成され、該誘導溝は、固定突起を端部から装着方向に誘導し、その後斜め装着方向に誘導し、その後周方向に誘導し、斜め装着方向から周方向に誘導する際に弾性リング部材がフランジを押圧し、実験動物ホルダーを気密に装着させる。【選択図】図１
0003140624.tif 000002
【実用新案登録請求の範囲】
【請求項１】
試験物質含有エアーが供給される内筒管と、内筒管に装着された鼻部曝露ノズルと、曝露された試験物質含有エアーの残ガスと実験動物の呼気の混合ガスを排出するために内筒管の外側に設けられた外筒管と、鼻部曝露ノズルに対向する位置の外筒管に取り付けられた実験動物ホルダーとを備え、実験動物の吸気により鼻部曝露ノズルからの試験物質を実験動物に経気投与するよう構成されている鼻部曝露方式の吸入試験装置において、
前記実験動物ホルダーは、外筒管に固設されたホルダー着脱筒に着脱自在に取り付けられており、
該ホルダー着脱筒の基端側開口には、中心方向に突出するフランジが形成され、
前記実験動物ホルダーの先端近傍には、前記ホルダー着脱筒に装着された際に前記フランジを当接可能な弾性リング部材が設けられ、
前記ホルダー着脱筒の内周面及び前記実験動物ホルダーの装着の際の前記ホルダー脱着筒の内周面に対向する外周面のいずれか一方には、少なくとも一つの固定突起が形成され、他方には、該固定突起を誘導する誘導溝が形成され、
該誘導溝は、固定突起を端部から装着方向に誘導し、その後斜め装着方向に誘導し、その後周方向に誘導し、前記斜め装着方向から周方向に誘導する際に前記弾性リング部材が前記フランジを押圧し、前記実験動物ホルダーを気密に装着させるよう形成されていることを特徴とする鼻部曝露方式の吸入試験装置。
【請求項２】
前記実験動物ホルダーは、実験動物を収納する内筒と、内筒を所定位置に固定させる外筒と、からなり、内筒全体が外筒内に挿脱自在に挿入されていることを特徴とする請求項１記載の鼻部曝露方式の吸入試験装置。
【考案の詳細な説明】
【技術分野】
【０００１】
本考案は、実験動物の鼻部に対して、ミスト、ガス、粉体などの試験物質を経気投与することができる鼻部曝露方式の吸入試験装置に関する。
【背景技術】
【０００２】
従来から、ラット、マウス、モルモットなどの小型実験動物に薬物を経気投与して薬物の生体への影響を調べる吸入実験の方法として、全身曝露方式や鼻部曝露方式があり、鼻部曝露方式は、例えば特許文献１の吸入試験装置を用いて行うことができる。鼻部曝露方式の吸入試験装置は、図４に示すように、試験物質含有エアーが供給される内筒管４０と、内筒管に装着された鼻部曝露ノズル４２と、曝露された試験物質含有エアーの残ガスと実験動物の呼気の混合ガスを排出するために内筒管４０の外側に設けられた外筒管４４と、鼻部曝露ノズル４２に対向する位置の外筒管４４に取り付けられた実験動物ホルダー４６とからなり、実験動物の吸気により鼻部曝露ノズル４２からの試験物質を実験動物に経気投与するよう構成されている。
【０００３】
実験動物ホルダー４６は、実験動物を収納する内筒４８と、内筒４８を所定位置に固定させる外筒５０の２重筒からなり、かつ内筒４８全体が外筒５０内に挿脱自在に挿入されている。外筒５０は、その先端部５０Ａ外周面が、外筒管４４に固設されたホルダー着脱筒５４にＯリング５６を介して気密に着脱自在に取り付けられており、かつその先端には内筒４８の先端部の一部を露出させるための露出孔５８を有し、後端には着脱自在に螺合された蓋体６０を有している。この蓋体６０には、内筒４８の後方開放端面を押圧するための押圧体のロッド６２が気密かつ摺動自在に貫通させて取り付けられている。
【０００４】
【特許文献１】特開平９−１８７１９２号公報
【考案の開示】
【考案が解決しようとする課題】
【０００５】
このように従来の吸入試験装置において、実験動物ホルダーは、Ｏリングを介してホルダー着脱筒に気密に着脱自在に取り付けられているので、脱着の際にある程度の力を必要とするという問題がある。そこで、本考案は、実験動物ホルダーを吸入試験装置本体に対して容易に着脱可能な鼻部曝露方式の吸入試験装置を提供することを目的とする。
【課題を解決するための手段】
【０００６】
以上の目的を達成するため、本考案は、試験物質含有エアーが供給される内筒管と、内筒管に装着された鼻部曝露ノズルと、曝露された試験物質含有エアーの残ガスと実験動物の呼気の混合ガスを排出するために内筒管の外側に設けられた外筒管と、鼻部曝露ノズルに対向する位置の外筒管に取り付けられた実験動物ホルダーとを備え、実験動物の吸気により鼻部曝露ノズルからの試験物質を実験動物に経気投与するよう構成されている鼻部曝露方式の吸入試験装置において、前記実験動物ホルダーは、外筒管に固設されたホルダー着脱筒に着脱自在に取り付けられており、該ホルダー着脱筒の基端側開口には、中心方向に突出するフランジが形成され、前記実験動物ホルダーの先端近傍には、前記ホルダー着脱筒に装着された際に前記フランジを当接可能な弾性リング部材が設けられ、前記ホルダー着脱筒の内周面及び前記実験動物ホルダーの装着の際の前記ホルダー脱着筒の内周面に対向する外周面のいずれか一方には、少なくとも一つの固定突起が形成され、他方には、該固定突起を誘導する誘導溝が形成され、該誘導溝は、固定突起を端部から装着方向に誘導し、その後斜め装着方向に誘導し、その後周方向に誘導し、前記斜め装着方向から周方向に誘導する際に前記弾性リング部材が前記フランジを押圧し、前記実験動物ホルダーを気密に装着させるよう形成されていることを特徴とする。
【０００７】
本考案に係る鼻部曝露方式の吸入試験装置において、前記実験動物ホルダーは、実験動物を収納する内筒と、内筒を所定位置に固定させる外筒と、からなり、内筒全体が外筒内に挿脱自在に挿入されていることが好ましく、前記外筒は、その先端に内筒の先端部の一部を露出させるための露出孔を有し、後端には着脱自在に螺合された蓋体を有していることが好ましい。
【考案の効果】
【０００８】
以上のように本考案によれば、実験動物ホルダーを吸入試験装置本体に対して容易に着脱可能な鼻部曝露方式の吸入試験装置を提供することができる。
【考案を実施するための最良の形態】
【０００９】
次に、本考案に係る鼻部曝露方式の吸入試験装置の実施例を図面に基づいて説明する。図１は、本実施例に係る鼻部曝露方式の吸入試験装置の実験動物ホルダー１０をホルダー着脱筒１２に装着する前の状態を示す正面図、図２は、実験動物ホルダー１０をホルダー着脱筒１２に装着した状態を示す正面断面図、図３は、ホルダー着脱筒１２の右側面図である。
【００１０】
本実施例に係る鼻部曝露方式の吸入試験装置は、試験物質含有エアーが供給される内筒管１４と、内筒管１４に装着された鼻部曝露ノズル１６と、曝露された試験物質含有エアーの残ガスと実験動物の呼気の混合ガスを排出するために内筒管１４の外側に設けられた外筒管１８と、鼻部曝露ノズル１６に対向する位置の外筒管１８に取り付けられた実験動物ホルダー１０と、を備えており、実験動物ホルダー１０は、外筒管１８に固設されたホルダー着脱筒１２に着脱自在に取り付けられている。
【００１１】
ホルダー着脱筒１２は、その基端側開口１２Ａに中心方向に突出するフランジ２０を有し、またその内周面に３つの円柱状の固定突起２２を有する。これら固定突起２２は、周方向に等間隔をおいて設けられている。この固定突起２２は、後述する実験動物ホルダー１０の外筒２６よりも柔軟な素材によって形成されており、使用により消耗した場合に交換可能に構成されている。
【００１２】
実験動物ホルダー１０は、実験動物を収納する内筒２４と、内筒２４を所定位置に固定させる外筒２６と、からなり、内筒２４全体が外筒２６内に挿脱自在に挿入されるよう構成されている。外筒２６は、軸方向の長さがホルダー着脱筒１２よりも若干長い先端部２６Ａと先端部２６Ａよりも外径が大きく形成された基端部２６Ｂからなり、先端部２６Ａの外径は、ホルダー着脱筒１２の内径と同一か若干小さく形成されており、基端部２６Ｂの外径は、ホルダー着脱筒１２の外径と同一に形成されている。また、外筒２６は、その先端に内筒２４の先端部を露呈させる開口部２８を有し、後端には着脱自在に螺合された蓋体２９を有している。この蓋体２９には、内筒２４の後方開放端面を押圧するための押圧体のロッド３１が気密かつ摺動自在に貫通させて取り付けられている。外筒２６の開口部２８には、中心方向に突出するフランジ３０が形成され、フランジ３０の内周端は、先端側３０Ａに突出しており、フランジ３０の突出部３０Ａの外側には、ゴム製のリング部材３２が設けられている。実験動物ホルダー１０をホルダー着脱筒１２に装着した際に、この突出部３０Ａの外周面は、ホルダー着脱筒１２のフランジ２０の内周面に当接し、リング部材３２がフランジ２０に当接するように構成されている。
【００１３】
外筒２６の先端部２６Ａの外周面には、固定突起２２を誘導する誘導溝３４が、実験動物ホルダー１０をホルダー着脱筒１２に装着した際に固定突起２２それぞれと対向する位置に３つ形成されている。誘導溝３４は、外筒２６の先端から基端方向に延びる直線部３４Ａと、直線部３４Ａから斜め基端方向に延びる斜め部３４Ｂと、斜め部３４Ｂから周方向に延びる周方向部３４Ｃとから構成され、斜め部３４Ｂから周方向部３４Ｃに誘導する際にリング部材３２がフランジ２０を押圧し、実験動物ホルダー１０を気密に装着させるよう形成されている。また、誘導溝３４の幅は、固定突起２２と同一又は若干長く、その深さは、固定突起２２の高さと同一又は若干長く形成されている。
【００１４】
以上のように本実施例に係る鼻部曝露方式の吸入試験装置において、実験動物ホルダー１０をホルダー着脱筒１２に装着する際、ホルダー着脱筒１２の固定突起２２を誘導溝３４の直線部３４Ａ、斜め部３４Ｂ及び周方向部３４Ｃに沿って誘導させることによって、容易に実験動物ホルダー１０を気密に装着することができる。
【図面の簡単な説明】
【００１５】
【図１】本考案に係る鼻部曝露方式の吸入試験装置の実施例の実験動物ホルダーをホルダー着脱筒に装着する前の状態を示す正面図である。
【図２】実験動物ホルダーをホルダー着脱筒に装着した状態を示す正面断面図である。
【図３】ホルダー着脱筒の右側面図である。
【図４】従来の鼻部曝露方式の吸入試験装置の正面断面図である。
【符号の説明】
【００１６】
１０   実験動物ホルダー
１２   ホルダー着脱筒
１４   内筒管
１６   鼻部暴露ノズル
１８   外筒管
２０   フランジ
２２   固定突起
３４   誘導溝
【図１】
0003140624.tif 000003
【図２】
0003140624.tif 000004
【図３】
0003140624.tif 000005
【図４】
0003140624.tif 000006